(57)【要約】【課題】  比較的小さな回路で、複数のアンテナを高速切替えしながら最適なアンテナを選択できる方法および装置を提供する。【解決手段】  無線通信装置１００は、アンテナ１ａ、１ｂを備える。スイッチ２は、アンテナ切替え信号に従って選択したアンテナを介して受信する信号を復調部６へ導く。ＭＡＣ部７に搭載されているソフトウェアは第１の切替え信号を生成する。ダイバーシティ制御部８は、その中に設けられているハードウェア回路で第２の切替え信号を生成する。パケット待受け期間は、第１の切替え信号がアンテナ切替え信号として使用され、パケットを受信している期間は、第２の切替え信号がアンテナ切替え信号として使用される。【選択図】      図１
2005252825.tif 000002
【特許請求の範囲】
【請求項１】
複数のアンテナを備える無線通信装置において使用されるダイバーシティ制御方法であって、
パケットの待受け期間は、予め記述されたプログラムを実行することにより生成される第１の切替え信号に従って使用すべきアンテナを選択するスタンバイモードの動作を実行し、
パケットを受信している期間は、ハードウェア回路により生成される第２の切替え信号に従って使用すべきアンテナを選択する受信モードの動作を実行する
ことを特徴とするダイバーシティ制御方法。
【請求項２】
複数のアンテナを備える無線通信装置において使用されるダイバーシティ制御方法であって、
受信信号の同期が確立していない期間は、予め記述されたプログラムを実行することにより生成される第１の切替え信号に従って使用すべきアンテナを選択するスタンバイモードの動作を実行し、
受信信号の同期が確立している期間は、ハードウェア回路により生成される第２の切替え信号に従って使用すべきアンテナを選択する受信モードの動作を実行する
ことを特徴とするダイバーシティ制御方法。
【請求項３】
上記スタンバイモードにおいて、上記第１の切替え信号により各アンテナが所定時間ごとに順番に選択される
ことを特徴とする請求項１または２に記載のダイバーシティ制御方法。
【請求項４】
上記受信モードにおいて、
上記第２の切替え信号を用いて各アンテナを順番に選択しながらそれぞれ対応する受信レベルを検出し、
上記検出結果に従ってパケット受信のために使用するアンテナを指定する
ことを特徴とする請求項１または２に記載のダイバーシティ制御方法。
【請求項５】
上記受信モードにおいて、
所定値以上の受信レベルが得られるまで各アンテナを順番に選択する第２の切替え信号を生成し、
上記所定値以上の受信レベルが得られたアンテナをパケット受信のために使用するアンテナとして指定する
ことを特徴とする請求項１または２に記載のダイバーシティ制御方法。
【請求項６】
複数のアンテナの中から信号受信のためのアンテナを選択するダイバーシティ機能を備えた無線通信装置であって、
予め記述されたプログラムを実行することにより第１の切替え信号を生成する第１の生成手段と、
ハードウェア回路により構成された第２の切替え信号を生成する第２の生成手段と、
パケット待受け期間は、上記第１の切替え信号に従ってアンテナを選択し、パケットを受信している期間は、上記第２の切替え信号に従ってアンテナを選択する選択手段、
を有することを特徴とする無線通信装置。
【請求項７】
複数のアンテナの中から信号受信のためのアンテナを選択するダイバーシティ機能を備えた無線通信装置であって、
予め記述されたプログラムを実行することにより第１の切替え信号を生成する第１の生成手段と、
ハードウェア回路により構成された第２の切替え信号を生成する第２の生成手段と、
受信信号の同期が確立していない期間は、上記第１の切替え信号に従ってアンテナを選択し、受信信号の同期が確立している期間は、上記第２の切替え信号に従ってアンテナを選択する選択手段、
を有することを特徴とする無線通信装置。
【発明の詳細な説明】
【技術分野】
【０００１】
本発明は、複数のアンテナを備える無線通信装置、及びそのような無線通信装置におけるアンテナ選択方法に係わる。
【背景技術】
【０００２】
無線通信装置は、しばしば、劣悪な通信環境下で使用される。このため、劣悪な通信環境下で信号を受信するための技術の１つとして、ダイバーシティ技術が開発および実用化されている。ここで、ダイバーシティとは、一義的ではないが、同一の情報を運ぶ複数の信号を受信し、それらの中から最適な信号を選択することにより、あるいはそれらの信号を適切に合成することにより受信特性を改善する技術である。
【０００３】
ダイバーシティ技術の１つの形態として、複数のアンテナを利用してそれぞれ信号を受信し、それらの中から最も受信レベルの高い信号を取り込む方式が知られている。すなわち、各アンテナの受信レベルに応じて実際に使用すべきアンテナを切替える方式が知られている。（例えば、非特許文献１参照。）
使用すべきアンテナを切替える従来の技術としては、例えば、ソフトウェアにより切替え信号を生成する方式が考えられる。この場合、プロセッサを用いて予め記述されているプログラムを実行することによりアンテナ切替え信号が生成され、その切替え信号に従って実際に使用すべきアンテナが選択される。
【０００４】
他の従来技術としては、ハードウェア回路により切替え信号を生成する方式が考えられる。この場合、ハードウェア回路は、切替えタイミングを計時するカウンタや各種ロジック回路により構成される。そして、このハードウェア回路により生成される切替え信号に従って実際に使用すべきアンテナが選択される。
【非特許文献１】８０２．１１高速無線ＬＡＮ教科書  松江英明、守倉正博監修  １９８〜１９９ページ  ＩＤＧジャパン  ISBN4-87280-490-2
【発明の開示】
【発明が解決しようとする課題】
【０００５】
ソフトウェアにより切替え信号を生成する方式には、以下の問題がある。すなわち、切替え信号を生成するソフトウェアを実行するプロセッサは、通常、並行して他の処理も実行するので、プロセッサの資源を切替え信号生成処理に優先的に割り当てることはできない。また、この用途に使用されるプロセッサは、可能な限り小型で安価なものが要求される。このため、複数のアンテナを順番に選択しながら各アンテナについて受信レベルを検出する処理を短時間で行うことが困難な場合がある。また、無線パケットは任意のタイミングで到着するので、ソフトウェア処理によってパケット毎に切替え信号を制御することは困難である。
【０００６】
一方、ハードウェア回路により切替え信号を生成する方式には、以下の問題がある。すなわち、無線通信装置は、パケットの到着を待っている期間（待受け期間）は、比較的長い時間間隔で複数のアンテナを順番に切替えながら受信レベルをモニタする。したがって、このような長い時間間隔を計時するためには大きなカウンタ等が必要になり、全体として回路規模が大きくなってしまう。
【０００７】
本発明の目的は、比較的小さな回路で、複数のアンテナを高速で切替えながら最適なアンテナを選択できる方法、およびそのための装置を提供することである。
【課題を解決するための手段】
【０００８】
本発明のダイバーシティ制御方法は、複数のアンテナを備える無線通信装置において使用されるものであり、パケットの待受け期間は、予め記述されたプログラムを実行することにより生成される第１の切替え信号に従って使用すべきアンテナを選択するスタンバイモードの動作を実行し、パケットを受信している期間は、ハードウェア回路により生成される第２の切替え信号に従って使用すべきアンテナを選択する受信モードの動作を実行する。
【０００９】
上記方法において、パケットの待受け期間は、ゆっくりとした周期でアンテナを切替えながらパケットの到着を待つ。このため、高速処理に適していないソフトウェアであっても、アンテナを切替えるための信号を生成できる。一方、パケットが到着すると、そのパケットの受信開始時から短時間のうちに使用すべきアンテナを決定する必要がある。このため、パケット受信時には、高速動作を容易に実現できるハードウェア回路でアンテナを切替えるための信号が生成される。
【００１０】
あるいは、受信レベルをみて動作モードを切替えるのではなく、受信信号の同期が確立しているか否かに基づいて動作モードが切替えられてもよい。受信信号の同期が誤って確立される可能性は、一般に、低いので、無駄なモード切替えが少なくなる。
なお、上記スタンバイモードにおいて、上記第１の切替え信号により各アンテナが所定時間ごとに順番に選択されるようにしてもよい。この場合、各アンテナが順番に均等に選択される。
【００１１】
また、上記受信モードにおいて、上記第２の切替え信号を用いて各アンテナを順番に選択しながらそれぞれ対応する受信レベルを検出し、上記検出結果に従ってパケット受信のために使用するアンテナを指定するようにしてもよい。この場合、最適な受信レベルが得られるアンテナを利用してパケットを受信することができる。
【００１２】
あるいは、上記受信モードにおいて、所定値以上の受信レベルが得られるまで各アンテナを順番に選択する第２の切替え信号を生成し、上記所定値以上の受信レベルが得られたアンテナをパケット受信のために使用するアンテナとして指定するようにしてもよい。この場合、必ずしも全てのアンテナについて受信レベルをチェックする必要がないので、アンテナ選択のための処理時間を短縮できる。
【００１３】
本発明の無線通信装置は、複数のアンテナの中から信号受信のためのアンテナを選択するダイバーシティ機能を備える構成であり、予め記述されたプログラムを実行することにより第１の切替え信号を生成する第１の生成手段と、ハードウェア回路により構成された第２の切替え信号を生成する第２の生成手段と、パケット待受け期間は上記第１の切替え信号に従ってアンテナを選択し、パケットを受信している期間は上記第２の切替え信号に従ってアンテナを選択する選択手段、を有する。この装置の作用は、基本的に、上述したダイバーシティ制御方法と同じである。
【発明の効果】
【００１４】
短時間のうちに使用すべきアンテナを選択する必要がある場合（すなわち、受信レベルの時間的な変動が大きい環境下でダイバーシティ制御を実行する場合）は、アンテナを切替えるための信号はハードウェア回路により生成される。したがって、アンテナ選択のための処理において遅延が発生することはない。このとき、アンテナ切替えタイミングを計時するためにはカウンタ等が必要になるが、短い時間を計時するためのカウンタ等は、小さなもので十分である。よって、全体として回路規模の小型化が図れる。
【００１５】
ハードウェア回路により高速処理が可能なので、パケット毎にダイバーシティ制御を行うことができ、受信感度のよいアンテナを選択できる可能性が高くなる。
短時間のうちに使用すべきアンテナを選択する必要がない期間は、ゆっくりとした周期でアンテナを切替えながら電波の状態がモニタされる。この場合、長い周期のアンテナ切替え信号をハードウェア回路で生成するためには、大きなカウンタ等が必要になる。しかし、本発明では、このような期間は、ソフトウェアでアンテナ切替え信号を生成するので、大きなハードウェア回路は必要としない。
【発明を実施するための最良の形態】
【００１６】
図１は、本発明の実施形態の無線通信装置の構成を示す図である。なお、図１では、本発明に直接的に係わる部分のみを描いている。また、図１に示す無線通信装置１００は、特に限定されるものではないが、ここでは、例えば、ＩＥＥＥ８０２．１１により規定される無線ＬＡＮのために使用される装置であるものとする。さらに、無線通信装置１００は、複数のアンテナが取り付けられており、それら複数のアンテナの中から信号受信のためのアンテナを選択するダイバーシティ機能を備えている。
【００１７】
アンテナ１ａ、１ｂは、それぞれ、無線信号を受信する。なお、これらのアンテナは、信号を送信するためにも使用される。スイッチ２は、ダイバーシティ制御部７により生成されるアンテナ切替え信号に従ってアンテナ１ａまたはアンテナ１ｂの一方を選択し、その選択したアンテナを介して受信した信号をローノイズアンプ３に導く。
【００１８】
ローノイズアンプ３は、アンテナ１ａまたはアンテナ１ｂを介して受信した信号を増幅する。また、可変利得アンプ４は、ローノイズアンプ３により増幅された信号をさらに増幅する。ＡＧＣ回路５は、可変利得アンプ４により増幅される信号の振幅または電力が予め決められた値に保持されるようにその利得を調整する。
【００１９】
復調部６は、可変利得アンプ４によって増幅された信号を復調する。ここで、復調部６は、受信信号と予め用意されている所定のコードとの相関をモニタする機能（例えば、マッチドフィルタ）を備えている。そして、復調部６は、その相関値が所定値を越えると、受信パケットについて同期が確立したものとみなして同期検出信号を出力する。なお、復調部６の他の機能については説明を省略する。
【００２０】
ＭＡＣ（Medium Access Control）部７は、パケットの衝突を回避するために送信タイミングを決定する機能、アクセスポイントと端末との間、或いは端末同士の間のやり取りを管理する機能等を提供する。また、ＭＡＣ部７は、使用すべきアンテナ１ａ、１ｂを指示する第１のアンテナ切替え信号を生成する。ここで、ＭＡＣ部７は、予め記述されたプログラムを格納するメモリ、及びそのプログラムを実行するプロセッサを含んでいる。そして、第１の切替え信号は、上述のメモリに格納されているプログラムを実行することにより生成される。すなわち、第１の切替え信号は、ソフトウェアにより生成される。なお、特許請求の範囲における「第１の生成手段」は、ＭＡＣ部７またはＭＡＣ部７の中の上記メモリおよびプロセッサに相当する。
【００２１】
ダイバーシティ制御部８は、ＲＳＳＩ（受信信号強度表示信号：Received Signal Strength Indicator）、復調部６により生成される同期検出信号などに基づいて、後述する第２の切替え信号を生成する。ここで、第２の切替え信号を生成する機能は、ハードウェア回路により実現されている。すなわち、第２の切替え信号は、ハードウェア回路により生成される。また、ダイバーシティ制御部８は、第１の切替え信号または第２の切替え信号の一方を選択してアンテナ切替え信号として出力する。なお、ＲＳＳＩは、ローノイズアンプ３の出力を利用する。
【００２２】
上記構成の無線通信装置１００において、ダイバーシティ制御部８は、ソフトウェアにより生成される第１の切替え信号またはハードウェア回路により生成される第２の切替え信号の一方を選択してアンテナ切替え信号として出力する。そして、スイッチ２は、そのアンテナ切替え信号により指示されたアンテナ１ａまたは１ｂを選択する。これにより、アンテナ切替え信号が指示するアンテナを介して受信した信号が復調部６へ導かれる。
【００２３】
図２は、ダイバーシティ動作を説明する図である。ここでは、時刻Ｔ０以前は、無線通信装置１００はパケットの待受け状態であるものとする。そして、時刻Ｔ０においてパケットの受信が開始されるものとする。
ＭＡＣ部７は、常時、第１の切替え信号を生成して出力する。第１の切替え信号は、各アンテナを所定時間ごとに順番に選択する旨を指示する信号であり、この実施例では、２本のアンテナ１ａ、１ｂを所定の周期で交互に選択する旨を指示する。なお、図２に示す第１の切替え信号は、Ｈレベルがアンテナ１ａを指示し、Ｌレベルがアンテナ１ｂを指示するものとする。また、図２では、図面を見やすくするために、時刻Ｔ０以前と時刻Ｔ０以降とでは、時間軸のスケールを変えている。具体的には、時刻Ｔ０以前は、時間軸を圧縮して描いており、実際は、例えば、第１の切替え信号の周期は、時刻Ｔ０〜時刻Ｔ５の期間よりも十分に長いものとする。
【００２４】
時刻Ｔ０以前は、パケットの待受け状態であり、無線通信装置１００は、スタンバイモードで動作する。スタンバイモードにおいては、ダイバーシティ制御部８は、第１の切替え信号をアンテナ切替え信号として出力する。すなわち、スタンバイモードにおいては、アンテナ１ａ、１ｂが所定の周期で交互に選択される。
【００２５】
時刻Ｔ０においてパケットの先頭が無線通信装置１００に到着すると、受信レベルが高くなる。そして、その受信レベルが所定値よりも大きくなると、パケット検出信号がＬレベルからＨレベルに立ち上がる（時刻Ｔ１）。これにより、無線通信装置の動作モードは、スタンバイモードから受信モードに移る。そして、受信モードにおいては、ダイバーシティ制御部８は、後述する第２の切替え信号をアンテナ切替え信号として出力する。なお、パケット検出信号がＬレベルからＨレベルに立ち上がったタイミングにおける第２の切替え信号の状態は、スタンバイモードの信号状態を保持する。つまり、本実施例では、Ｈレベル（アンテナ１ａを選択する旨を指示するもの）状態を保持する。したがって、無線通信装置１００は、時刻Ｔ１以降、アンテナ１ａを介して受信する信号を取り込むことになる。
【００２６】
時刻Ｔ１以降、復調部６は、受信信号と予め用意されている所定のコードとの相関をモニタする。そして、その相関値が所定値を越えると（時刻Ｔ２）、受信パケットについて同期が確立したものとみなし、同期検出信号をＬレベルからＨレベルに変化させる。
時刻Ｔ２から時刻Ｔ３までの期間は、可変利得アンプ４の出力に基づいて受信レベルをモニタする。本実施例では、アンテナ１ａが選択されているため、アンテナ１ａを介して受信した信号の受信レベルがモニタされる。なお、受信レベルをモニタする処理は、特に限定されるものではないが、例えば、ダイバーシティ制御部８により実行されてもよいし、ＡＧＣ回路５または復調部６により実行されてもよい。
【００２７】
時刻Ｔ３では、ダイバーシティ制御部８に入力されるＲＳＳＩに基づいてアンテナの切替えを行うか判断し、必要があればアンテナの切替えを行う。具体的には、ＲＳＳＩが所定値よりも小さい場合は、受信レベルが十分に良好なレベルではないと判断し、第２の切替え信号のレベルを変化させる。ＲＳＳＩが所定値よりも大きい場合は、その信号レベルが十分に良好なレベルであるため、他のアンテナの受信レベルと比較する必要がない。従って、第２の切替え信号のレベルを保持する。本実施の形態では、ＲＳＳＩが所定値よりも小さい場合であり、時刻Ｔ３において、第２の切替え信号をＨレベルからＬレベルに変化させる。従って、以降、時刻Ｔ４までの期間、アンテナ１ｂが選択される。すなわち、時刻Ｔ３から時刻Ｔ４までの期間は、アンテナ１ｂを介して受信した信号の受信レベルがモニタされる。
【００２８】
本実施例のようにＲＳＳＩが所定値よりも小さい場合、時刻Ｔ４において、アンテナ１ａを介して受信した信号の受信レベルとアンテナ１ｂを介して受信した信号の受信レベルとが比較され、良好な受信レベルが得られるアンテナが決定される。そして、ダイバーシティ制御部８は、上記比較により決定したアンテナを指示するための第２の切替え信号を生成し、それをアンテナ切替え信号として出力する。本実施例では、アンテナ１ａを介して受信した信号の受信レベルの方が良好である場合が示されている。すなわち、時刻Ｔ４以降、アンテナ切替え信号がＨレベルに保持されている。これにより、以降、アンテナ１ａが選択され、そのアンテナ１ａを介して受信する信号が復調部６に送られることになる。
【００２９】
なお、受信モードでは、ハードウェア回路により生成される第２の切替え信号が優先され、第１の切替え信号は無視される。例えば、図２に示す例では、時刻５において第１の切替え信号がＨレベルからＬレベルに変化しているが、ダイバーシティ制御部８から出力されるアンテナ切替え信号は、この影響を受けることはない。
【００３０】
図３は、ダイバーシティ制御部８のブロック図である。信号強度判定部１１は、ＲＳＳＩに基づいて、アンテナの切替えを行うかどうか判断する。具体的には、ＲＳＳＩが所定値よりも小さい場合は、受信レベルが十分に良好なレベルではないと判断し、第２の切替え信号のレベルを変化させるための信号を、後述する制御部１５へ送る。ＲＳＳＩが所定値よりも大きい場合は、その信号レベルが十分に良好なレベルであるため、他のアンテナの受信レベルと比較する必要がない。従って、第２の切替え信号を保持させるための信号を、後述する制御部１５へ送る。
【００３１】
モード保持部１２は、パケット検出信号に基づいて、無線通信装置１００の動作モードを表示する情報を保持する。本実施例では、パケット検出信号がＬレベルのときに「スタンバイモード」を表示する情報が保持され、パケット検出信号がＨレベルのときに「受信モード」を表示する情報が保持される。
【００３２】
カウンタ１３は、時刻Ｔ２から時刻Ｔ３までの期間を規定するタイマ値Ａ、および時刻Ｔ２から時刻Ｔ４までの期間を規定するタイマ値Ｂが設定されている。そして、カウンタ１３は、同期検出信号がＬレベルからＨレベルに変化することにより起動され、タイマ値Ａおよびタイマ値Ｂが満了したタイミングでそれぞれその旨を表すパルスを生成する。なお、こられのパルスは、受信レベルモニタ部１４および制御部１５に与えられる。
【００３３】
受信レベルモニタ部１４は、時刻Ｔ２から時刻Ｔ３までの期間、可変利得アンプ４の出力に基づいて受信レベルをモニタする。ダイバーシティ制御部８が、受信レベルが十分に良好なレベルではないと判断した場合（ＲＳＳＩが所定値よりも小さい場合）には、時刻Ｔ３から時刻Ｔ４までの期間についても可変利得アンプ４の出力に基づいて受信レベルをモニタする。
【００３４】
制御部１５は、以下の動作に従って第２の切替え信号を生成する。
（１）パケット検出信号がＬレベルからＨレベルに変化すると（時刻Ｔ１）、第２の切替え信号をＨレベルにする。
（２）カウンタ１３においてタイマ値Ａが満了すると（時刻Ｔ３）、信号強度判定部１１で、ＲＳＳＩに基づきアンテナの切替えを行うかどうか判断する。ＲＳＳＩが所定値よりも大きい場合、第２の切替え信号のレベルを保持し、ＲＳＳＩが所定値よりも小さい場合、第２の切替え信号のレベルを変化させる。本実施例では、第２の切替え信号をＨレベルからＬレベルに変化させる。
（３）ＲＳＳＩが所定値よりも小さい場合、カウンタ１３においてタイマ値Ｂが満了すると（時刻Ｔ４）、最も良好な受信レベルが得られるアンテナを選択するように第２の切替え信号を設定する。
【００３５】
セレクタ１６は、モード保持部１２に「スタンバイモード」を表示する情報が保持されているときは、第１の切替え信号を選択し、モード保持部１２に「受信モード」を表示する情報が保持されているときは、第２の切替え信号を選択する。セレクタ１６の出力は、アンテナ切替え信号として図１に示すスイッチ２に与えられる。
【００３６】
上記構成のダイバーシティ制御部８（少なくとも、モード保持部１２、カウンタ１３、制御部１５、セレクタ１６）は、ハードウェア回路により実現される。すなわち、第２の切替え信号は、ハードウェア回路により生成される。よって、準拠すべき通信規格等において、無線通信装置１００にパケットに先頭が到着した時（図２では、時刻Ｔ０）から、パケット受信のために使用するアンテナを決定する時（図２では、時刻Ｔ４）までの時間として、非常に短い時間が規定されていても、それを満たすことが可能である。
【００３７】
なお、特許請求の範囲に記載の「第２の生成手段」は、例えば、カウンタ１３および制御部１５により実現され、「選択手段」は、例えば、スイッチ２、モード保持部１２、およびセレクタ１６により実現される。
また、パケット待受け期間は、一般に、準拠すべき通信規格等において、比較的ゆっくりとした周期でアンテナ切替え信号を切替える旨が規定されている。よって、ソフトウェアが生成する第１の切替え信号をアンテナ切替え信号として使用しても、遅延が生じることはない。
【００３８】
さらに、ハードウェア回路で上述のような比較的ゆっくりとした周期のアンテナ切替え信号を生成するためには、大きなカウンタ等が必要になり全体として回路規模が大きくなってしまう。しかし、実施形態の無線通信装置では、パケット待受け期間は、ソフトウェアが生成する第１の切替え信号をアンテナ切替え信号として使用するので、大きなハードウェア回路は必要としない。
【００３９】
なお、上述の実施例では、パケット検出信号がＬレベルからＨレベルに立ち上がった時点で、無線通信装置の動作モードを、スタンバイモードから受信モードに切替えているが、本発明はこれに限定されるものではなく、同期検出信号がＬレベルからＨレベルに立ち上がった時点で、スタンバイモードから受信モードに切替えてもよい。この場合、パケット検出信号の検出確度よりも同期検出信号の検出確度の方が高いため、確実に受信モードに切替えることができるとともに、パケットが到達した場合にのみ、モード切替えが行われるため、上述の実施例のような、パケットが無線通信装置１００に到達しなくても、受信レベルさえ高くなれば立ち上がるパケット検出信号に伴ってモード切替えを行う方法と比べ、無駄なモード切替えをすることがなくなる。
【００４０】
また、パケット検出信号と同期検出信号の両信号をみてモード切替えを行ってもよい。この場合、パケット検出信号が立ち上がった時点でモード切替えを行うことができるとともに、たとえパケット検出信号が立ち上がらなくても、同期検出信号が立ち上がれば、モード切替えを行うことができる。
【００４１】
また、上述の実施例では、ハードウェア回路のみで切替え信号を生成する制御方式、ソフトウェアのみで切替え信号を生成する制御方式、ハードウェア回路により生成される信号よりもソフトウェアにより生成される信号を優先する制御式等を、無線通信装置の使用環境に応じて選択するようにしてもよい。例えば、受信レベルの時間的な変動が少ない通信環境下では、パケット毎にハードウェア回路による切替え信号の生成を行わず、数パケット毎にアンテナの切替えを実行するか否かを判断するようにしてもよい。この場合、アンテナ切替え頻度が下がるので、消費電力を抑えることができる。
【００４２】
さらに、上述の実施例では、無線通信装置１００が２本のアンテナを備える構成について説明したが、本発明は３本以上のアンテナを備える無線通信装置にも適用可能である。
さらに、上述の実施例では、無線ＬＡＮ（特に、ＩＥＥＥ８０２．１１に準拠する無線ＬＡＮ）に使用される無線通信装置について説明したが、本発明は他の無線通信装置にも適用可能である。
【図面の簡単な説明】
【００４３】
【図１】本発明の実施形態の無線通信装置の構成を示す図である。
【図２】ダイバーシティ動作を説明する図である。
【図３】ダイバーシティ制御部のブロック図である。
【符号の説明】
【００４４】
１ａ、１ｂ  アンテナ
２      スイッチ
３      ローノイズアンプ
４      可変利得アンプ
５      ＡＧＣ回路
６      復調部
７      ＭＡＣ部
８      ダイバーシティ制御部
１１    信号強度判定部
１２    モード保持部
１３    カウンタ
１４    受信レベルモニタ部
１５    制御部
１６    セレクタ
１００  無線通信装置
【図１】
2005252825.tif 000003
【図２】
2005252825.tif 000004
【図３】
2005252825.tif 000005